(57)【要約】【課題】  ネットワーク経由の不正な操作によるセキュリティレベルの低下を防止することが可能な監視カメラシステムを提供する。【解決手段】  監視カメラシステム１００は、サーバ１０と、被写体を撮像するカメラ４０と、ユーザの入力操作に応じた信号を発生するスイッチ５０とを備える。サーバ１０は、スイッチ５０によって発生される信号が入力されることを条件として、監視カメラシステム１００の利用状態を、カメラ４０による所定の監視動作を行う第１の利用状態から、所定の監視動作を解除してユーザによるカメラ４０に関する制御が可能な第２の利用状態へと移行させることを許可する。【選択図】図１
2005102081.tif 000002
【特許請求の範囲】
【請求項１】
監視カメラシステムであって、
被写体を撮像する撮像手段と、
前記撮像手段に対応して設けられ、ユーザの入力操作に応じた信号を発生する入力手段と、
前記入力手段からの前記信号を受信することを条件として、前記監視カメラシステムの利用状態を、前記撮像手段による所定の監視動作を行う第１の利用状態から、前記所定の監視動作を解除して前記ユーザによる前記撮像手段に関する制御が可能な第２の利用状態へと移行させることを許可する制御手段と、
を備えることを特徴とする監視カメラシステム。
【請求項２】
請求項１に記載の監視カメラシステムにおいて、
前記入力手段は、前記信号を、ネットワーク通信線とは別系統の配線を用いて前記監視カメラシステムに対して入力することを特徴とする監視カメラシステム。
【請求項３】
請求項１または請求項２に記載の監視カメラシステムにおいて、
前記入力手段は、前記撮像手段の近傍に設けられるスイッチを含むことを特徴とする監視カメラシステム。
【請求項４】
請求項１または請求項２に記載の監視カメラシステムにおいて、
前記入力手段は、前記撮像手段を有する監視カメラの本体に設けられるスイッチを含むことを特徴とする監視カメラシステム。
【請求項５】
請求項１から請求項４のいずれかに記載の監視カメラシステムにおいて、
前記撮像手段に関する制御は、前記撮像手段の姿勢角度の変更制御および／またはズーム倍率の変更制御を含むことを特徴とする監視カメラシステム。
【請求項６】
請求項１から請求項５のいずれかに記載の監視カメラシステムにおいて、
前記撮像手段に関する制御は、前記撮像手段によって撮影される撮影画像の録画および／または閲覧に関する制御を含むことを特徴とする監視カメラシステム。
【請求項７】
請求項１から請求項６のいずれかに記載の監視カメラシステムにおいて、
当該監視カメラシステムの利用を予約する予約手段、
をさらに備え、
前記制御手段は、前記予約手段により受け付けられた予約内容にも基づいて、前記第２の利用状態への移行を許可することを特徴とする監視カメラシステム。
【請求項８】
請求項７に記載の監視カメラシステムにおいて、
ユーザＩＤを入力するユーザＩＤ入力手段、
をさらに備え、
前記予約手段は、前記第２の利用状態において当該監視カメラシステムを利用するユーザのユーザＩＤを予約内容として受け付け、
前記制御手段は、前記予約内容に含まれるユーザＩＤと、前記監視カメラシステムの利用時に前記ユーザＩＤ入力手段を用いて入力されるユーザＩＤとが一致することをも条件として、前記第２の利用状態への移行を許可することを特徴とする監視カメラシステム。
【請求項９】
請求項７または請求項８に記載の監視カメラシステムにおいて、
前記制御手段は、前記予約手段により予約された利用時間内に前記信号が受信されることを条件として、前記第２の利用状態への移行を許可することを特徴とする監視カメラシステム。
【請求項１０】
請求項７から請求項９のいずれかに記載の監視カメラシステムにおいて、
前記予約内容は、前記第２の利用状態において制御対象となる前記撮像手段のＩＤ情報を含み、
前記制御手段は、前記第２の利用状態においては、そのＩＤ情報が予約内容に含まれるＩＤ情報と一致する撮像手段に関する操作を許可することを特徴とする監視カメラシステム。
【請求項１１】
請求項７から請求項１０のいずれかに記載の監視カメラシステムにおいて、
前記撮像手段に関する操作指示を受け付ける少なくとも１つの操作制御手段、
をさらに備え、
前記予約手段は、前記少なくとも１つの操作制御手段のうち、前記第２の利用状態において利用可能な操作制御手段を決定し、
前記制御手段は、前記第２の利用状態においては、前記予約手段によって決定された操作制御手段に対してのみ、前記撮像手段に関する操作を許可することを特徴とする監視カメラシステム。
【請求項１２】
請求項７から請求項１０のいずれかに記載の監視カメラシステムにおいて、
前記撮像手段に関する操作指示を受け付ける少なくとも１つの操作制御手段、
をさらに備え、
前記予約手段は、前記少なくとも１つの操作制御手段のうち、前記第２の利用状態において利用可能な操作制御手段を決定し、
前記制御手段は、前記第２の利用状態においては、前記予約手段によって決定された操作制御手段に対してのみ、前記監視カメラシステムの利用時間の変更操作を許可することを特徴とする監視カメラシステム。
【請求項１３】
請求項７に記載の監視カメラシステムにおいて、
前記撮像手段に関する操作指示を受け付ける操作制御手段と、
ユーザＩＤを入力するユーザＩＤ入力手段と、
をさらに備え、
前記予約手段は、前記第２の利用状態において前記操作制御手段を利用するユーザを特定するユーザＩＤを予約内容として受け付け、
前記制御手段は、前記予約内容に含まれるユーザＩＤと、前記カメラシステムの利用時に前記ユーザＩＤ入力手段を用いて入力されるユーザＩＤとが一致するときのみ、前記監視カメラシステムの利用時間の変更操作を許可することを特徴とする監視カメラシステム。
【請求項１４】
請求項７から請求項１３のいずれかに記載の監視カメラシステムにおいて、
前記制御手段は、前記予約内容に含まれる前記監視カメラシステムの利用時間の終了後には、前記監視カメラシステムの利用状態を前記第１の利用状態に復帰させ、前記ユーザによる前記撮像手段に関する制御を禁止することを特徴とする監視カメラシステム。
【請求項１５】
請求項１から請求項１４のいずれかに記載の監視カメラシステムにおいて、
前記制御手段は、前記第２の利用状態での撮影画像と、前記第２の利用状態に移行する直前での撮影画像との差分画像を用いて、前記撮像手段によって撮像される人物の位置を求め、当該位置に基づいて前記撮像手段による撮像動作を行うことを特徴とする監視カメラシステム。
【請求項１６】
請求項１から請求項１５のいずれかに記載の監視カメラシステムにおいて、
前記制御手段は、サーバコンピュータの機能として実現されることを特徴とする監視カメラシステム。
【請求項１７】
監視カメラシステムであって、
被写体を撮像する撮像手段と、
ユーザによる入力操作に応答して、前記監視カメラシステムに対するロック状態を解除するロック解除指令入力を前記監視カメラシステムに対して入力する入力手段と、
前記ロック解除指令入力が入力されることを条件として、前記監視カメラシステムの利用状態を、システム管理者によって設定される第１の利用状態から、システム管理者以外のユーザにより設定される第２の利用状態へと移行させることを許可する制御手段と、
を備えることを特徴とする監視カメラシステム。
【請求項１８】
監視カメラシステムであって、
被写体を撮像する撮像手段と、
ネットワーク経由でのユーザ認証を行う認証手段と、
ネットワークを経由しないロック解除指令入力を入力する入力手段と、
ユーザに関する前記ユーザ認証に成功し且つ前記ロック解除指令入力が入力されることを条件として、当該ユーザによる前記撮像手段に関する制御を許可する制御手段と、
を備えることを特徴とする監視カメラシステム。
【発明の詳細な説明】
【技術分野】
【０００１】
本発明は、監視カメラシステムに関する。
【背景技術】
【０００２】
ネットワーク経由で監視カメラを操作することが可能な監視カメラシステムが存在する。具体的には、監視カメラは、その本体にネットワーク通信機能を搭載しており、所定のアプリケーションプログラムを実行するコンピュータからその監視カメラにネットワーク接続することによって、その撮影画像をモニタリングすることが可能である。
【０００３】
セキュリティに関しては、利用可能なユーザの利用者情報（ユーザＩＤ等）を予め登録しておき、カメラ利用時にユーザ認証を行うことによって、非登録ユーザがカメラ映像を見ることが出来ないように制限を設ける技術が存在する。
【０００４】
また、カメラ利用者としては、特権レベルのユーザであるシステム管理者、あるいは、システム管理者以外のユーザが想定される。
【０００５】
たとえば、特許文献１には、システム管理者（特権レベルのユーザ）だけでなく、それ以外のユーザに対しても、カメラの制御権を付与する技術が記載されている。
【０００６】
【特許文献１】特開平１０−１６１２１３号公報
【発明の開示】
【発明が解決しようとする課題】
【０００７】
ところで、システム管理者のみがカメラを操作することが可能な場合には、システム管理者によって厳重な管理がなされるため、セキュリティレベルを比較的高く維持することが可能である。
【０００８】
しかしながら、システム管理者以外のユーザに対しても、カメラに関する操作（カメラの制御権）を許容する場合には、ユーザＩＤの喪失（盗難等を含む）等の可能性も増大するなどの事情によって、セキュリティレベルが低下してしまう事態が想定される。具体的には、ユーザＩＤを取得した第三者が、ネットワーク経由でカメラを遠隔操作して、機密保持が必要な場所の映像を取得してしまうなどの危険が存在する。
【０００９】
このように、カメラに関する操作を様々なユーザに対して許可する場合には、セキュリティレベルが低下してしまうという問題が存在する。
【００１０】
そこで、この発明の課題は、ネットワーク経由の不正な操作によるセキュリティレベルの低下を防止することが可能な監視カメラシステムを提供することにある。
【課題を解決するための手段】
【００１１】
上記課題を解決すべく、請求項１に記載の発明は、監視カメラシステムであって、被写体を撮像する撮像手段と、前記撮像手段に対応して設けられ、ユーザの入力操作に応じた信号を発生する入力手段と、前記入力手段からの前記信号を受信することを条件として、前記監視カメラシステムの利用状態を、前記撮像手段による所定の監視動作を行う第１の利用状態から、前記所定の監視動作を解除して前記ユーザによる前記撮像手段に関する制御が可能な第２の利用状態へと移行させることを許可する制御手段と、を備えることを特徴とする。
【００１２】
請求項２に記載の発明は、請求項１の発明に係る監視カメラシステムにおいて、前記入力手段は、前記信号を、ネットワーク通信線とは別系統の配線を用いて前記監視カメラシステムに対して入力することを特徴とする。
【００１３】
請求項３に記載の発明は、請求項１または請求項２の発明に係る監視カメラシステムにおいて、前記入力手段は、前記撮像手段の近傍に設けられるスイッチを含むことを特徴とする。
【００１４】
請求項４に記載の発明は、請求項１または請求項２の発明に係る監視カメラシステムにおいて、前記入力手段は、前記撮像手段を有する監視カメラの本体に設けられるスイッチを含むことを特徴とする。
【００１５】
請求項５に記載の発明は、請求項１から請求項４のいずれかの発明に係る監視カメラシステムにおいて、前記撮像手段に関する制御は、前記撮像手段の姿勢角度の変更制御および／またはズーム倍率の変更制御を含むことを特徴とする。
【００１６】
請求項６に記載の発明は、請求項１から請求項５のいずれかの発明に係る監視カメラシステムにおいて、前記撮像手段に関する制御は、前記撮像手段によって撮影される撮影画像の録画および／または閲覧に関する制御を含むことを特徴とする。
【００１７】
請求項７に記載の発明は、請求項１から請求項６のいずれかの発明に係る監視カメラシステムにおいて、当該監視カメラシステムの利用を予約する予約手段、をさらに備え、前記制御手段は、前記予約手段により受け付けられた予約内容にも基づいて、前記第２の利用状態への移行を許可することを特徴とする。
【００１８】
請求項８に記載の発明は、請求項７の発明に係る監視カメラシステムにおいて、ユーザＩＤを入力するユーザＩＤ入力手段、をさらに備え、前記予約手段は、前記第２の利用状態において当該監視カメラシステムを利用するユーザのユーザＩＤを予約内容として受け付け、前記制御手段は、前記予約内容に含まれるユーザＩＤと、前記監視カメラシステムの利用時に前記ユーザＩＤ入力手段を用いて入力されるユーザＩＤとが一致することをも条件として、前記第２の利用状態への移行を許可することを特徴とする。
【００１９】
請求項９に記載の発明は、請求項７または請求項８の発明に係る監視カメラシステムにおいて、前記制御手段は、前記予約手段により予約された利用時間内に前記信号が受信されることを条件として、前記第２の利用状態への移行を許可することを特徴とする。
【００２０】
請求項１０に記載の発明は、請求項７から請求項９のいずれかの発明に係る監視カメラシステムにおいて、前記予約内容は、前記第２の利用状態において制御対象となる前記撮像手段のＩＤ情報を含み、前記制御手段は、前記第２の利用状態においては、そのＩＤ情報が予約内容に含まれるＩＤ情報と一致する撮像手段に関する操作を許可することを特徴とする。
【００２１】
請求項１１に記載の発明は、請求項７から請求項１０のいずれかの発明に係る監視カメラシステムにおいて、前記撮像手段に関する操作指示を受け付ける少なくとも１つの操作制御手段、をさらに備え、前記予約手段は、前記少なくとも１つの操作制御手段のうち、前記第２の利用状態において利用可能な操作制御手段を決定し、前記制御手段は、前記第２の利用状態においては、前記予約手段によって決定された操作制御手段に対してのみ、前記撮像手段に関する操作を許可することを特徴とする。
【００２２】
請求項１２に記載の発明は、請求項７から請求項１０のいずれかの発明に係る監視カメラシステムにおいて、前記撮像手段に関する操作指示を受け付ける少なくとも１つの操作制御手段、をさらに備え、前記予約手段は、前記少なくとも１つの操作制御手段のうち、前記第２の利用状態において利用可能な操作制御手段を決定し、前記制御手段は、前記第２の利用状態においては、前記予約手段によって決定された操作制御手段に対してのみ、前記監視カメラシステムの利用時間の変更操作を許可することを特徴とする。
【００２３】
請求項１３に記載の発明は、請求項７の発明に係る監視カメラシステムにおいて、前記撮像手段に関する操作指示を受け付ける操作制御手段と、ユーザＩＤを入力するユーザＩＤ入力手段と、をさらに備え、前記予約手段は、前記第２の利用状態において前記操作制御手段を利用するユーザを特定するユーザＩＤを予約内容として受け付け、前記制御手段は、前記予約内容に含まれるユーザＩＤと、前記カメラシステムの利用時に前記ユーザＩＤ入力手段を用いて入力されるユーザＩＤとが一致するときのみ、前記監視カメラシステムの利用時間の変更操作を許可することを特徴とする。
【００２４】
請求項１４に記載の発明は、請求項７から請求項１３のいずれかの発明に係る監視カメラシステムにおいて、前記制御手段は、前記予約内容に含まれる前記監視カメラシステムの利用時間の終了後には、前記監視カメラシステムの利用状態を前記第１の利用状態に復帰させ、前記ユーザによる前記撮像手段に関する制御を禁止することを特徴とする。
【００２５】
請求項１５に記載の発明は、請求項１から請求項１４のいずれかの発明に係る監視カメラシステムにおいて、前記制御手段は、前記第２の利用状態での撮影画像と、前記第２の利用状態に移行する直前での撮影画像との差分画像を用いて、前記撮像手段によって撮像される人物の位置を求め、当該位置に基づいて前記撮像手段による撮像動作を行うことを特徴とする。
【００２６】
請求項１６に記載の発明は、請求項１から請求項１５のいずれかの発明に係る監視カメラシステムにおいて、前記制御手段は、サーバコンピュータの機能として実現されることを特徴とする。
【００２７】
請求項１７に記載の発明は、監視カメラシステムであって、被写体を撮像する撮像手段と、ユーザによる入力操作に応答して、前記監視カメラシステムに対するロック状態を解除するロック解除指令入力を前記監視カメラシステムに対して入力する入力手段と、前記ロック解除指令入力が入力されることを条件として、前記監視カメラシステムの利用状態を、システム管理者によって設定される第１の利用状態から、システム管理者以外のユーザにより設定される第２の利用状態へと移行させることを許可する制御手段と、を備えることを特徴とする。
【００２８】
請求項１８に記載の発明は、監視カメラシステムであって、被写体を撮像する撮像手段と、ネットワーク経由でのユーザ認証を行う認証手段と、ネットワークを経由しないロック解除指令入力を入力する入力手段と、ユーザに関する前記ユーザ認証に成功し且つ前記ロック解除指令入力が入力されることを条件として、当該ユーザによる前記撮像手段に関する制御を許可する制御手段と、を備えることを特徴とする。
【発明の効果】
【００２９】
請求項１から請求項１６に記載の発明によれば、撮像手段に対応して設けられる入力手段からのユーザの入力操作に応じた信号が受信されることを条件として第２の利用状態への移行が許可されるので、ネットワーク経由の操作だけでは第２の利用状態への移行が許可されない。したがって、第三者によるネットワーク経由の不正な操作を回避できるので、セキュリティの低下を防止することができる。
【００３０】
また、請求項１７および請求項１８に記載の発明によれば、入力手段によってロック解除指令入力が入力されることを条件として第２の利用状態への移行が許可されるので、ネットワーク経由の操作だけでは第２の利用状態への移行が許可されない。したがって、第三者によるネットワーク経由の不正な操作を回避できるので、セキュリティの低下を防止することができる。
【発明を実施するための最良の形態】
【００３１】
以下、本発明の実施形態を図面に基づいて説明する。
【００３２】
＜Ａ．第１実施形態＞
＜Ａ１．構成＞
＜構成概要＞
図１は、第１実施形態に係る監視カメラシステム１００の全体構成の概要を示す図である。ここでは、会社内の会議室にカメラを配置して、通常は会議室の監視撮影を行う一方で、ユーザの要望に応じて会議の議事録映像の撮影をも行うことが可能なシステムについて説明する。
【００３３】
図１に示すように、監視カメラシステム１００は、サーバコンピュータ（以下、単にサーバとも称する）１０とクライアントコンピュータ（以下、単にクライアントとも称する）２０，３０とカメラ４０とロック解除用のスイッチ５０とを備えている。
【００３４】
サーバ１０とクライアント２０，３０とカメラ４０とは、ＬＡＮおよびインターネットなどの通信ネットワークを介して、相互に接続（ネットワーク接続）されている。すなわち、この監視カメラシステム１００は、ネットワーク通信機能を有するシステムである。
【００３５】
カメラ４０は、ＣＣＤ（あるいはＣＭＯＳ）などの撮像素子によって被写体を撮像する機能を有している。カメラ４０は、その撮像画像を用いて会議室全体を監視できるように、会議室内の壁面の高所に設置されている。カメラ４０は、そのパン角度、チルト角度、およびズーム倍率（画角）を変更することが可能である。
【００３６】
ロック解除用のスイッチ５０は、物理的なスイッチ（入力装置）であり、各種の方式（スライド式、押しボタン式、...）のものを採用することが可能である。スイッチ５０は、対応するカメラ４０に対して電気配線を介して接続されている。この電気配線は、ネットワーク通信線とは異なる（別系統の）電気配線であり、カメラ４０とスイッチ５０とを結ぶ入力信号伝達用の専用配線である。スイッチ５０の操作に応答して、ロック解除用の入力信号（後述）がこの専用配線を介してカメラ４０に伝達される。なお、ここでは、スイッチ５０は、カメラ４０に対して電気的に接続されているが、これに限定されず、監視カメラシステム１００のいずれかの要素に接続されていればよい。たとえば、スイッチ５０は、対応するユーザ端末３０に対して電気的に接続されていてもよい。
【００３７】
このスイッチ５０は、監視カメラシステム１００に対するロック状態を解除する「ロック解除指令入力」を入力する機能を有している。詳細には、スイッチ５０は、操作者（ユーザ）による物理的な入力操作（たとえば、押下式ボタンを押下すること、あるいは、スライド式スイッチをスライドさせることなどの入力操作）に応答して、「ロック解除指令入力」を示す信号を発生し、当該信号（したがって「ロック解除指令入力」）を、ネットワーク通信線とは別系統の配線を用いて監視カメラシステムに対して入力する機能を有している。
【００３８】
後述するように、この実施形態においては、ユーザＩＤ、パスワードなどによる認証操作に加えて、このスイッチ５０を操作者が実際に押下するなどの更なる操作（ロック解除操作）をも経なければ、ユーザによる監視カメラシステム１００の使用（カメラ４０の操作、ならびに、カメラ４０による撮影画像の録画および閲覧等）が許可されない。したがって、セキュリティレベルが低下することを防止できる。なお、この実施形態においては、スイッチ５０はロック解除指令入力を入力するための専用スイッチとして設けられている。
【００３９】
また、スイッチ５０は、対応するカメラ４０の近傍位置（近接位置）に配置されており、具体的には、対応するカメラ４０と同一の会議室（居室）内に配置されている。詳細には、スイッチ５０は、カメラ４０の下方において、その会議室の壁面に埋め込まれて配置されている。
【００４０】
また、クライアント３０も会議室内に配置されている。クライアント３０は、主として、システム管理者以外のユーザによる操作入力等を受け付ける。したがって、クライアント３０は、「ユーザ端末」とも称せられる。
【００４１】
一方、サーバ１０およびクライアント２０は、会議室以外の場所（たとえば、管理室）に設置される。また、クライアント２０は、システム管理者以外のユーザによる操作入力を受け付けず、システム管理者からの操作入力のみを受け付ける。したがって、クライアント２０は、「管理者端末」とも称せられる。
【００４２】
また、ユーザ端末３０、カメラ４０、スイッチ５０は、各会議室において互いに対応させて設けられている。図１にも示すように、１組のユーザ端末３０、カメラ４０、スイッチ５０が会議室ＭＲ１に備えられ、別の１組のユーザ端末３０、カメラ４０、スイッチ５０が別の会議室ＭＲ２に備えられる。ここでは、会議室ＭＲ１のカメラ４０を使用するためには、会議室ＭＲ１のスイッチ５０を用いるものとする。すなわち、会議室ＭＲ１のスイッチ５０によるロック解除指令入力（後述）を与えることによって、会議室ＭＲ１のユーザ端末３０を用いて、会議室ＭＲ１のカメラ４０を操作することなどが可能になる。
【００４３】
なお、ここでは、各会議室に１台のカメラ４０を設ける場合を示しているが、これに限定されない。たとえば、各会議室に複数台のカメラ４０を設けるようにしてもよい。この場合には、各カメラ４０に対してロック解除用のスイッチ５０をそれぞれ設けるようにすればよい。あるいは、その会議室内の複数台のカメラ４０に対して１つのスイッチ５０を設け、この１つのスイッチ５０によって、これらの複数台のカメラ４０に対する一括的なロック解除指令入力を受け付けるようにしてもよい。
【００４４】
また、ここでは、ユーザ端末３０、カメラ４０、スイッチ５０が、それぞれ、複数設けられる場合を例示しているが、これに限定されない。サーバ１０、管理者端末２０、ユーザ端末３０、カメラ４０、スイッチ５０は、それぞれ、監視カメラシステム１００において少なくとも１つ設けられれば十分である。
【００４５】
＜サーバ１０＞
まず、サーバ１０について説明する。
【００４６】
図２は、サーバ１０の物理的構成（ハードウエア構成）を中心に示す図である。図２に示すように、サーバ１０は、ＣＰＵ１１、メモリ１２（ＲＯＭ１２ａ，ＲＡＭ１２ｂ）、ハードディスク１４、リムーバブル・ディスク・ドライブ１５、入力装置１６（キーボード、マウス等）、表示装置１７（ディスプレイ等）、および通信装置１８（ＬＡＮカード等）を備えたＰＣ（パーソナルコンピュータ）などの一般的なコンピュータで構成される。
【００４７】
サーバ１０は、会議室から離れた監視室などに配置されており、監視カメラシステム１００における各種の管理機能を有している。具体的には、カメラ４０に対する操作指示の出力処理、および、カメラ４０による撮影画像の管理などを行う。
【００４８】
また、図３は、サーバ１０の各種の機能を概念的に示す機能ブロック図である。
【００４９】
図３に示すように、サーバ１０は各種の機能部を備えている。具体的には、サーバ１０は、認証処理部２と、システム設定管理部３と、予約処理部４と、カメラ制御部５と、利用者データ記憶部６と、予約データ記憶部７と、通信制御部８とを備えている。これらの機能部は、所定のＯＳ（オペレーションシステム）が稼働するコンピュータにおいて、所定のアプリケーションプログラム（以下、単にプログラムとも称する）を実行することなどによって実現される。このようなプログラムは、可搬性の記録媒体（ＣＤ−ＲＯＭあるいはＤＶＤなど）に格納された状態で提供される。あるいは、このようなプログラムは、ネットワーク上の所定のダウンロードサイトからダウンロードする態様で提供されてもよい。
【００５０】
通信制御部８は、ネットワーク通信を介して、ユーザ端末３０との間の通信、カメラ４０との間の通信、およびスイッチ５０との間の通信を行う。特に、通信制御部８は、スイッチ５０との間の通信によって、スイッチ５０による操作の有無（ロック解除指令入力の有無）を検知する機能を有している。
【００５１】
認証処理部２は、利用者データ（たとえば、ユーザＩＤおよびパスワード）を確認することによって、利用者（ユーザ）の認証を行う処理部である。
【００５２】
利用者データ記憶部６は、各利用者（ユーザ）の利用者データＤ０を記憶する処理部である。具体的には、利用者データとして、ユーザＩＤ、パスワード、および使用権限（たとえば、システムの管理権限を有するか否か）等が記憶される。なお、ユーザのうち、システムの管理権限を有するユーザを「システム管理者（あるいは単に「管理者」）」とも称する。
【００５３】
システム設定管理部３は、管理者用のシステム設定の管理を行う処理部である。たとえば、監視カメラシステム１００の定常状態での監視動作（定常監視動作）に関する設定等がシステム設定管理部３によって行われる。
【００５４】
予約処理部４は、各ユーザ端末３０と協働して、監視カメラシステム１００の利用を予約する処理（利用予約処理）を行う処理部である。たとえば、各ユーザ端末３０からの送信要求に応じて、予約メニュー画面Ｇ３（図１１参照）をそのユーザ端末３０に表示させる処理を行うとともに、その予約メニュー画面Ｇ３を用いて入力された予約内容をユーザ端末３０から受信する。なお、受信された予約内容は、予約データとして、予約データ記憶部７に記憶される。また、後述するように、予約処理部４は、予約内容に基づいて監視カメラシステム１００を「ロック解除状態」へと変更するなどの動作をも行う。
【００５５】
カメラ制御部５は、通信制御部８を介して、カメラ４０による撮影画像の画像データを受信する。また、カメラ制御部５は、受信した画像データを、通信制御部８を介して今度は管理者端末２０およびユーザ端末３０に向けて送信する。この結果、管理者端末２０およびユーザ端末３０でその画像データが表示される。
【００５６】
また、カメラ制御部５は、管理者端末２０によって設定された内容に基づく監視用画像の撮影動作を行う。カメラ制御部５は、管理者端末２０からのカメラ制御信号を受信して、カメラの操作制御および録画制御等を行うこともできる。
【００５７】
さらに、カメラ制御部５は、監視カメラシステム１００がロック解除可能モード（後述）にされた後、さらにスイッチ５０の操作に応じて発生したロック解除指令信号が通信制御部８を介して受信されることを条件として、カメラ４０に対するロックを実際に解除するようにカメラ４０を制御する。この場合には、ユーザ端末３０を用いたカメラの操作制御および録画制御等も行われ得る。具体的には、ユーザ端末３０からのカメラ制御信号を通信制御部８を介して受信して、そのカメラ制御信号に応じた動作指令等をカメラ４０に対して送出する。これにより、ユーザ端末３０を用いたカメラの操作制御および録画制御等が行われる。
【００５８】
＜ユーザ端末３０＞
次に、ユーザ端末３０について説明する。ユーザ端末３０は、カメラ４０に関する操作指示を受け付ける機能を有している。
【００５９】
ユーザ端末３０は、サーバ１０と同様のハードウエア構成を有している。
【００６０】
また、図４は、ユーザ端末３０の概要を示す機能ブロック図である。図４に示すように、ユーザ端末３０は、予約制御部３１と、ユーザＩＤ入力制御部３２と、操作制御部３３と、通信制御部３４とを備える。
【００６１】
ユーザ端末３０の予約制御部３１は、サーバ１０の予約処理部４と協働して、監視カメラシステム１００の利用の予約に関する処理を行う。
【００６２】
ユーザＩＤ入力制御部３２は、ユーザＩＤおよびパスワードの入力を受け付ける。ユーザＩＤ入力制御部３２は、入力されたユーザＩＤ等（利用者情報）をサーバ１０の認証処理部２に対して送信し、認証処理部２はユーザ認証動作を行う。このように、ユーザＩＤ入力制御部３２は、認証処理部２と協働して、認証処理を行う。
【００６３】
操作制御部３３は、カメラ４０に関する操作を制御する。具体的には、ユーザ端末３０の表示装置に表示されたインターフェイス用画面、およびユーザ端末３０の入力装置を用いて、ユーザからの操作指示を受け付け、その操作指示をカメラ４０に送信する。これによって、ユーザは、カメラ４０の姿勢角度の変更操作、ズーム倍率の変更操作、ならびに撮影画像の録画および閲覧操作を行うことが可能である。すなわち、ユーザ端末３０（操作制御部３３）は、カメラ４０における撮影状況を操作する機能を有している。
【００６４】
通信制御部３４は、ユーザ端末３０とサーバ１０との間の通信制御、およびユーザ端末３０とカメラ４０との間の通信制御等を行う機能部である。
【００６５】
＜カメラ４０＞
つぎに、カメラ４０について説明する。
【００６６】
図５は、カメラ４０の概略構成等を中心に示す図である。図５に示すように、カメラ４０は、ＣＣＤなどの撮像部４１と、マイク４２と、信号処理部４３と、ＣＰＵ４４と、ＬＡＮインターフェイスなどを有するネットワーク通信部４５と、入力制御部４６と、駆動部４７とを備えている。
【００６７】
ネットワーク通信部４５は、サーバ１０との間、およびユーザ端末３０との間でネットワーク通信を行う機能を有している。また、入力制御部４６は、スイッチ５０からの信号（「ロック解除指令入力」）を受信する機能を有している。
【００６８】
カメラ４０は、撮像部４１によって被写体の画像を撮影する。信号処理部４３は、撮像部４１によって取得された画像データに対する各種の信号処理（画像処理）を施す。また、音声はマイク４２によって集音され録音される。これにより、音声付き動画像が取得される。取得された動画像は、ネットワーク通信部４５を介して、サーバ１０およびユーザ端末３０に送信される。
【００６９】
また、カメラ４０は、内蔵された駆動部４７を用いて、ユーザ端末３０からの操作指令（ネットワーク通信部４５によって受信された操作指令（カメラ制御情報））に基づいて駆動することによって、パン角度、チルト角度、およびズーム倍率（画角）を変更することが可能である。
【００７０】
さらに、カメラ４０による撮影画像は、ユーザ端末３０からの操作指令に基づいて、ユーザ端末３０の表示装置で閲覧することが可能である。また、その撮影画像は、ユーザ端末３０からの操作指令に基づいて、所定の記憶装置（たとえば、ユーザ端末３０の記憶装置、あるいは、サーバ１０の記憶装置）に記憶（記録）しておくことができる。
【００７１】
なお、後述するように、ユーザによるカメラ４０の操作許可および操作不許可（禁止）は、サーバ１０のカメラ制御部５によって制御される。
【００７２】
＜Ａ２．動作＞
＜概要＞
監視カメラシステム１００においては、ユーザは、利用対象のカメラ４０の利用予約をユーザ端末３０を用いて予め行っておき、その後、予約時刻到来時に再度の認証動作等を経て、予約対象のカメラ４０を利用することなどが可能になる。ここでは、特定の会議室のカメラ４０の利用予約を行う場合を例示する。
【００７３】
図６〜図８は、監視カメラシステム１００における動作を示すフローチャートである。詳細には、図６は、監視カメラシステム１００に対する予約動作を示す図であり、図７および図８は、予約時刻到来時における監視カメラシステム１００における動作を示す図である。
【００７４】
＜予約動作＞
まず、図６を参照しながら、予約動作について説明する。ここでは、ユーザ端末３０を用いて予約動作を行う場合について説明する。
【００７５】
ユーザがユーザ端末３０を用いてサーバ１０に接続する（ステップＳ１）と、ユーザ端末３０のディスプレイに、ユーザログイン画面Ｇ１（図９）が表示される（ステップＳ２）。具体的には、サーバ１０の認証処理部２は、ユーザ端末３０からの接続要求に応答して、ユーザログイン画面表示用のデータをユーザ端末３０に対して返信する。ユーザ端末３０の予約制御部３１は、このデータを通信制御部３４を介して受信すると、ユーザ端末３０のディスプレイの画面に、ユーザログイン画面Ｇ１を表示する。
【００７６】
そして、ユーザは、この画面にしたがって、ユーザＩＤおよびパスワードを入力する。
【００７７】
サーバ１０の認証処理部２は、入力されたユーザＩＤおよびパスワードが、予め登録されていたものと同一か否かを判定する（ステップＳ３）。具体的には、認証処理部２は、ネットワークを経由して送信されてきたユーザの利用者データＤ１と、予め登録され且つ利用者データ記憶部６に記憶されている利用者データＤ０とを比較し、両者が一致するか否かに応じて認証の成否を決定する。
【００７８】
ユーザ認証に失敗した場合には再びステップＳ２に戻り、再度の入力が求められる。一方、ユーザ認証に成功した場合には次のステップＳ４に進む。
【００７９】
ステップＳ４では、図１０に示すようなメインメニュー画面Ｇ２がユーザ端末３０のディスプレイに表示される。
【００８０】
ユーザは、この画面Ｇ２に表示される複数の選択肢（具体的には、「管理者用設定メニュー」、「ユーザ操作予約メニュー」、「終了」）の中から所望の選択肢（項目）をマウス操作等によって選択する。
【００８１】
サーバ１０は、いずれの項目が選択されたかに関する情報をユーザ端末３０から受信し、選択された項目に応じて分岐処理（ステップＳ５，Ｓ７，Ｓ８）を行う。
【００８２】
具体的には、まず、「管理者用設定メニュー」の項目が選択されていると判定（ステップＳ５）される場合には、ユーザ端末３０に表示される管理者用設定画面を用いて、管理者による各種の設定処理（ステップＳ６）が行われる。また、「予約メニュー」の項目が選択されていると判定（ステップＳ７）される場合には、ユーザ端末３０に表示される「ユーザ操作予約メニュー」を用いて、管理者以外のユーザによる予約処理等（ステップＳ９〜Ｓ１３）が行われる。
【００８３】
さらに、「終了」の項目が選択されていると判定（ステップＳ８）される場合には、ユーザ端末３０とサーバ１０との接続が終了する（ステップＳ１４）。
【００８４】
以下では、「予約メニュー」の項目が選択された場合について説明を続ける。
【００８５】
この場合には、ステップＳ９において、予約メニュー画面Ｇ３（図１１）がユーザ端末３０のディスプレイに表示される。
【００８６】
ユーザは、この画面Ｇ３の入力要求に応じて、監視カメラシステム１００についての予約情報を入力する（ステップＳ１０，Ｓ１１）。具体的には、予約日、予約利用時間、予約対象の会議室、カメラを操作するユーザなどの予約情報を、キーボードおよびマウス等を用いて、対応する欄に記入した上で、入力完了ボタンを押下する。予約利用時間としては、開始時間（開始時刻）および終了時間（終了時刻）を入力する。また、カメラ操作ユーザ情報としては、利用予約時間内にそのカメラ４０を操作するユーザのユーザ名、ユーザＩＤ、所属部署名を入力する。各ユーザは、ユーザＩＤおよび／またはユーザ名等によって特定（識別）される。
【００８７】
これらの予約情報に関するデータは、ユーザ端末３０からサーバ１０へと転送される。サーバ１０の予約処理部４は、このデータを受信すると、各入力事項に不備がないか否かを確認する（ステップＳ１２）。不備がある場合には、ステップＳ９に戻り、予約処理部４によって再度の入力が促される。一方、不備がない場合には、ステップＳ１３に進む。ステップＳ１３においては、予約処理部４は、受信したデータ（予約情報）を予約内容として受け付け、その予約情報を予約データ記憶部７に記憶する。その後、ユーザ端末３０とサーバ１０との接続が終了する（ステップＳ１４）。
【００８８】
以上のようにして、予約動作が完了する。
【００８９】
＜予約日当日の動作＞
つぎに、図７および図８を参照しながら、予約日当日の動作、より詳細には、予約時刻到来時における認証動作およびカメラ操作等について説明する。
【００９０】
予約していた開始時刻が到来すると、ユーザは予約対象の会議室に配置されたユーザ端末３０を操作して、ユーザ端末３０とサーバ１０との接続を確立する（ステップＳ２１）。サーバ１０の認証処理部２は、ユーザ端末３０からの接続要求に応答して、ユーザログイン画面表示用のデータをユーザ端末３０に対して返信する。このデータを受信したユーザ端末３０の予約制御部３１は、ユーザ端末３０のディスプレイの画面に上記と同様のユーザログイン画面Ｇ１（図９）を表示し、ユーザは、この画面Ｇ１に従ってユーザＩＤおよびパスワードを入力するログイン動作を行う（ステップＳ２２）。そして、入力されたユーザＩＤおよびパスワードは、ユーザ端末３０からサーバ１０へと送信される。
【００９１】
サーバ１０の認証処理部２は、入力されたユーザＩＤおよびパスワードに関する認証動作を行う（ステップＳ２３）。具体的には、認証処理部２は、ネットワークを経由して送信されてきたユーザの利用者データＤ１と、予め登録され且つ利用者データ記憶部６に記憶されている利用者データＤ０とを比較し、両者が一致するか否かに応じて認証の成否を決定する。
【００９２】
ユーザ認証に失敗した場合には再びステップＳ２２に戻り、再度の入力が求められる。一方、ユーザ認証に成功した場合には次のステップＳ２４に進む。
【００９３】
サーバ１０の予約処理部４は、ステップＳ２４において、現在ユーザ端末３０を操作しているユーザ（以下、「操作中ユーザ」とも称する）が、現時刻にカメラ４０を操作する者として予約をしていたユーザ（以下、「予約ユーザ」とも称する）であるか否かを確認する。
【００９４】
具体的には、予約処理部４は、予約内容に含まれるユーザＩＤと、カメラ４０の利用時（より詳細には予約時間内（ステップＳ２２））において入力されるユーザＩＤとが一致する場合に、操作中ユーザが予約ユーザであると判定する。一方、両者が一致しない場合には、操作中ユーザが予約ユーザでないと判定する。
【００９５】
操作中ユーザが予約ユーザでないと判定される場合には、ステップＳ３０に進み、ユーザ端末３０にはメインメニュー画面Ｇ２（図１０）が表示されるなどの処理が行われる。ステップＳ３０においては、図６のステップＳ４〜Ｓ１４の処理と同様の処理が行われる。
【００９６】
一方、操作中ユーザが予約ユーザであると判定される場合には、ステップＳ２５に進み、図１２に示すような予約状況確認画面Ｇ４がユーザ端末３０に表示される。この画面Ｇ４は、サーバ１０からユーザ端末３０へと送信されるデータに基づいて生成され、ユーザ端末３０のディスプレイに表示される。画面Ｇ４には、予約内容に関する情報（予約情報）が含まれている。ユーザは画面Ｇ４を見てその予約内容を確認することができる。
【００９７】
ただし、この時点においては、ユーザはユーザ端末３０を用いてカメラ４０を操作することはできない。すなわち、カメラ４０の操作は未だ許可されていない。端的に言えば、カメラ４０への操作等が未だ「ロック」された状態になっている。ここにおいて、「ロックされた状態（ロック状態）」とは、カメラ４０の動作が物理的に阻害されている状態だけでなく、電子的制御によるカメラ４０の操作が禁止されている状態をも含むものとする。
【００９８】
次に、予約処理部４は、予約されていた開始時刻が到来しているか否か（言い換えれば、現在時刻（ログイン時刻）が予約時間内に含まれているか否か）を判定し（ステップＳ２６）、その開始時刻が到来していることを確認すると、監視カメラシステム１００を「ロック解除禁止モード」から「ロック解除可能モード」に変更する（ステップＳ２７）。この時点においても、カメラ４０への操作等が未だ禁止された状態（ロック状態）になっている。
【００９９】
その後、ユーザによるスイッチ５０の操作の有無が判定され（ステップＳ２８）、スイッチ５０の操作が無いと判定されるときにはステップＳ２６に戻り、スイッチ５０の操作が有ったと判定されるときにはステップＳ２９に進む。
【０１００】
上述の「ロック解除可能モード」において、ユーザが（ロック解除用の）スイッチ５０を操作して、ロック解除指令入力が監視カメラシステム１００に与えられると、カメラ制御部５は、カメラ４０のロックを解除する。この結果、監視カメラシステム１００のカメラ４０はユーザ端末３０を用いたカメラ操作が可能な状態になる（ステップＳ２９）。
【０１０１】
より詳細には、スイッチ５０の操作に応じて発生した信号（「ロック解除指令入力」）が、カメラ４０の入力制御部４６で受信されると、カメラ４０は、そのネットワーク通信部４５を介して、「ロック解除指令入力」をサーバ１０に転送する。サーバ１０の通信制御部８が「ロック解除指令入力」を受信すると、サーバ１０のカメラ制御部５は、このロック解除指令入力に応答して、カメラ４０のロックを解除する。これによって、カメラ４０は、ユーザによる操作が可能な状態となる。
【０１０２】
ここにおいて、「ロック解除可能モード」は、カメラ４０の操作に対するロックを解除することが可能なモードである。「ロック解除可能モード」において、スイッチ５０によるロック解除指令入力が入力されると、ロックが実際に解除される。
【０１０３】
これに対して、「ロック解除禁止モード」は、ロックの解除が禁止されるモードである。「ロック解除禁止モード」においては、ユーザがスイッチ５０を操作してロック解除指令入力を監視カメラシステム１００に与えたとしても、カメラ４０の操作に対するロックを解除することはできない。
【０１０４】
ネットワーク経由のユーザ認証等（ステップＳ２１〜Ｓ２７）が行われた時点においては、「ロック解除禁止モード」から「ロック解除可能モード」にモード移行しただけであり、カメラ４０の操作等が未だ禁止された状態である。その後、このロック解除可能モードにおいてさらにスイッチ５０によるロック解除指令入力が付与された時点（ステップＳ２８）で、実際に「ロック」が解除されることになる。
【０１０５】
言い換えれば、（１）「ロック解除可能モード」であり、且つ、（２）スイッチ５０によるロック解除指令入力が受け付けられること（入力されること）を条件として、監視カメラシステム１００の利用状態を所定の利用状態ＳＴ１から別の利用状態ＳＴ２へと移行させることが許可されることになる。
【０１０６】
ここにおいて、利用状態ＳＴ１は、システム管理者によって設定される状態であり、所定の時間および所定範囲を撮影対象とする撮影画像が撮像される状態である。利用状態ＳＴ１においては、カメラ４０によって監視用途の画像の撮影動作等が行われる。言い換えれば、利用状態ＳＴ１は、カメラ４０による所定の監視動作が行われる状態であるとも表現できる。
【０１０７】
また、利用状態ＳＴ２は、システム管理者以外のユーザによって設定される状態であり、ユーザによるカメラ４０に関する制御が許可される状態である。利用状態ＳＴ２においては、カメラ４０によって監視用途以外の画像（ここでは会議議事録用画像）の撮影動作等が行われる。言い換えれば、利用状態ＳＴ２は、利用状態ＳＴ１での所定の監視動作が解除された状態であって、且つ、ユーザによるカメラ４０に関する制御が可能な状態であるとも表現できる。
【０１０８】
また、上記（１）の「ロック解除可能モード」であるための要件は、（１−ａ）予約ユーザによるユーザ認証が成功していること（ステップＳ２４）、（１−ｂ）現在時刻が予約内容の利用時間内であること（ステップＳ２６）の２つである。ここでは、２つの要件が全て満たされている場合にのみ、「ロック解除可能モード」に変更される。ただし、これに限定されず、これらの２つの要件（１−ａ），（１−ｂ）のうちの１つが満たされる場合に、「ロック解除可能モード」に変更するようにしてもよい。あるいは、これらの２つの要件以外の他の要件が満たされることを条件として、「ロック解除可能モード」に移行するようにしてもよい。また、建物内のセキュリティが他の要因によって確保されている場合には、無条件で「ロック解除可能モード」に移行するようにしてもよい。言い換えれば、スイッチ５０によるロック解除指令入力が受け付けられることのみを条件として、監視カメラシステム１００の利用状態を所定の利用状態ＳＴ１から別の利用状態ＳＴ２へと移行させることを許可するようにしてもよい。
【０１０９】
この後、予約された利用時間が終了するまでの間にわたって、カメラ４０による定常状態での監視動作が一時的に解除されており且つユーザによるカメラ４０に関する制御が許可された状態となる。詳細には、ユーザは、カメラ４０の姿勢角度（具体的には、パン角度、チルト角度）の変更操作、カメラ４０のズーム倍率（画角あるいは焦点距離とも表現される）の変更操作、ならびに撮影画像の閲覧操作および記録操作（録画操作）等を行うことが可能である。
【０１１０】
ユーザは、この利用時間内において、ユーザ端末３０を用いてカメラ４０を操作することが可能である。より具体的には、ユーザは、ユーザ端末３０の表示装置（ディスプレイ等）および入力装置（キーボード、マウス等）をカメラ４０の操作用インターフェイスとして用いて、カメラ４０を操作することができる。なお、これに限定されず、カメラ４０に対する操作専用端末を設け、この操作専用端末を用いてカメラ４０を操作するようにしてもよい。たとえば、この操作専用端末は、カメラ４０（および／またはサーバ１０）などに接続され、上記と同様の条件を満たすときのみ使用可能となるように制御されればよい。
【０１１１】
操作対象のカメラ４０は、予約対象の会議室に対応して自動的に決定される。具体的には、予約処理部４が、予約対象の会議室に設けられたカメラ４０を選択して決定し、予約対象のカメラ４０がいずれのカメラであるかについての情報を予約データ（予約内容）に含ませる。詳細には、カメラ４０のＩＤ番号などのＩＤ情報（カメラを識別するための識別情報）を予約データに含ませる。そして、利用状態ＳＴ２においては、予約データに含まれるＩＤ情報とそのＩＤ情報が一致するカメラ４０に対してのみ、ユーザによる制御が許可される。
【０１１２】
また、予約対象のカメラ４０を操作することが可能なユーザ端末３０は、そのカメラ４０に対応して同じ会議室内に設けられたユーザ端末３０に限定される。具体的には、予約処理部４は、上述の予約時点で、その会議室を撮影する際に使用する操作端末として最もふさわしいユーザ端末３０を決定しておく。また、その内容は、画面Ｇ４（図１２）にも提示しておくことが好ましい。画面Ｇ４においては、操作端末「Ａ１００号」が、「東京本社第３会議室」の撮影時に使用可能な操作端末（操作制御手段）であることが表示されている。予約処理部４は、このような内容を含む情報を予約情報として予約データ記憶部７に記憶しておく。そして、カメラ制御部５は、その会議室内のカメラ４０が、その予約時間内においては操作端末「Ａ１００号」によってのみ操作可能であるように制御する。たとえば、カメラ制御部５は、操作端末「Ａ１００号」のＩＤ番号（ＩＤ情報）を予約成立時にカメラ４０に通知しておき、その予約利用時間内にはカメラ４０がそのＩＤ番号以外の操作端末からの操作を受け付けないようにすればよい。これにより、セキュリティレベルを向上させることができる。
【０１１３】
さらに、ここでは利用時間の変更操作（延長操作等）をもこのユーザ端末３０を用いて行うことが可能である。具体的には、図１３に示すような撮影時間変更用のメニュー画面Ｇ５に基づいてこの変更操作を行うことができる。画面Ｇ５は、撮影時間の変更を行うためのメニュー画面であり、「すぐに終了」、「時間短縮」、「時間延長」という３つの選択肢を有している。操作者はユーザ端末３０の入力装置を用いていずれかの選択肢を選択する。また、「時間短縮」、「時間延長」が選択された場合には、さらに変更（短縮あるいは延長）後の利用時間（たとえば、変更後の終了時刻）を入力するための画面Ｇ６（図示せず）がユーザ端末３０の表示装置に表示される。ユーザは、その画面Ｇ６を用いて、変更後の利用時間を入力する。
【０１１４】
また、ここでは、予約変更操作（利用時間の変更操作等）を行うことが可能なユーザ端末３０は、予約内容として登録されたユーザ端末３０（たとえば、「Ａ１００号」）に限定される。したがって、セキュリティレベルを向上させることができる。また、ここでは、予約変更操作は、予約内容に含まれるユーザＩＤを有するユーザに対してのみ許可されることになる。すなわち、この予約変更操作は、操作中ユーザが予約ユーザであることを条件として許可されることになる。これによっても、セキュリティレベルを向上させることができる。
【０１１５】
以下では、このような予約変更操作の存在等を想定した動作について、図８を参照しながら説明する。
【０１１６】
予約処理部４は、予約時間の変更操作の有無を判定する（ステップＳ３１）とともに、予約時間が終了したか否かを判定する（ステップＳ３２）。予約時間の変更操作が無く且つ予約時間が未だ終了しない場合には、カメラ４０による会議議事録用画像の撮影動作等を継続しつつ、ステップＳ３１およびステップＳ３２の判定処理を繰り返し実行する。
【０１１７】
そして、画面Ｇ５を用いた予約時間の変更操作が検出されると、ステップＳ３３，Ｓ３４，Ｓ３５のいずれかに進む。ステップＳ３３，Ｓ３４，Ｓ３５においては、上記の画面Ｇ５においていずれの選択肢が選択されたかに応じた分岐処理が行われる。
【０１１８】
「すぐに終了」という選択肢が選択された場合には、ステップＳ３３からステップＳ４２に進む。ステップＳ４２では、予約時間（終了時刻）の変更処理が行われた後、ユーザ端末３０とサーバ１０との接続終了処理が行われ、操作中ユーザのログアウト処理をも行う。さらに、監視カメラシステム１００のモードを「ロック解除禁止モード」に変更する処理も行われる。これによって、ユーザ端末３０によるカメラ４０に対する操作が不可能な状態となる。また、監視カメラシステム１００は、利用状態ＳＴ２から利用状態ＳＴ１へと戻る。すなわち、監視カメラシステム１００は、予め設定された監視動作を行う状態となる。
【０１１９】
「時間短縮」という選択肢が選択された場合には、ステップＳ３３、Ｓ３４からステップＳ３６に進む。ステップＳ３６においては、画面Ｇ６がユーザ端末３０の表示装置に表示され、ユーザはその画面Ｇ６を用いて変更後の利用時間を入力する。入力が完了すると、予約時間（終了時刻）の変更処理が行われた後、再びステップＳ３１に戻る。
【０１２０】
あるいは、「時間延長」という選択肢が選択された場合には、ステップＳ３３，Ｓ３４，Ｓ３５からステップＳ３７に進む。ステップＳ３７においては、延長後（変更後）の予約時間に他のユーザによる予約が既に存在しないか否かが判定される。他ユーザによる予約が存在しない場合には、時間短縮操作時と同様にステップＳ３６での操作に移行し、その後再びステップＳ３１に戻る。一方、他ユーザによる予約が既に存在する場合には、このような時間延長が不可能であることをユーザ端末３０の表示装置に表示する。たとえば、「先約が有りますので、この延長登録は受け付けられません」などの文字が表示される。そして、予約時間（終了時刻）の変更処理が行われた後、再びステップＳ３１に戻る。
【０１２１】
このようにして、予約変更処理が行われる。
【０１２２】
また、ステップＳ３２において、予約時間（当初の予約時間あるいは変更後の予約時間）が終了したことが判定されると、ステップＳ３２からステップＳ３９に進む。
【０１２３】
ステップＳ３９では、所定の長さの延長時間（たとえば、３０分）以内に他ユーザによる予約が既に存在するか否かを確認する。
【０１２４】
他ユーザによる予約が存在しない場合には、時間延長を行うか否かをユーザに問い合わせる（ステップＳ４０）。ユーザが延長を希望してその延長時間を入力する（ステップＳ４１）と、予約時間（終了時刻）の変更処理が行われた後、再びステップＳ３１に戻る。
【０１２５】
一方、他ユーザによる予約が既に存在する場合には、ステップＳ４２に進む。
【０１２６】
また、ステップＳ４０においてユーザが時間延長を希望しない場合にも、ステップＳ４２に進む。
【０１２７】
ステップＳ４２においては、上述の接続終了処理等を行う。これにより、監視カメラシステム１００のモードが「ロック解除禁止モード」に変更され、利用状態ＳＴ２から利用状態ＳＴ１へと復帰する。すなわち、監視カメラシステム１００は、システム管理者によって予め設定された監視動作を行う状態となる。
【０１２８】
以上のように、この実施形態の監視カメラシステム１００によれば、スイッチ５０によってロック解除指令入力が受け付けられることを条件として利用状態ＳＴ２への移行が許可されるので、ネットワーク経由の操作だけでは利用状態ＳＴ２への移行が許可されない。したがって、ネットワーク経由の不正な操作によるセキュリティレベルの低下を防止することができる。
【０１２９】
特に、予約処理部４により受け付けられた予約内容にも基づいて、利用状態ＳＴ２への移行が許可されるので、セキュリティレベルの低下を防止することができる。
【０１３０】
具体的には、カメラ４０の操作を意図してログインしてきたユーザ（操作中ユーザ）が予約ユーザであることを条件として、利用状態ＳＴ２への移行が許可されるので、セキュリティレベルを向上させることができる。
【０１３１】
さらに、予約されたユーザ端末３０（たとえば、「Ａ１００号」）に対してのみ、カメラ４０に関する制御が許可されるので、セキュリティレベルを向上させることができる。
【０１３２】
＜Ｂ．第２実施形態＞
第２実施形態は、第１実施形態の変形例である。
【０１３３】
第２実施形態においては、さらに自動的に人物を抽出して、カメラの構図を自動的に定める場合について説明する。これによれば、操作者の負荷を軽減することができる。
【０１３４】
第２実施形態に係る監視カメラシステム１００は、第１実施形態と同様の構成等を有している。以下では、相違点を中心に説明する。
【０１３５】
この第２実施形態においては、上記のステップＳ２８でスイッチ５０の操作によってロックが解除され、カメラ４０の操作が可能になった時点で、人物の位置を決定する動作を行う。
【０１３６】
具体的には、操作者は、会議の参加者がそれぞれの椅子に着席した時点で、スイッチ５０を操作する。
【０１３７】
カメラ４０は、スイッチ５０が操作される直前における画像Ｐ１をも撮影しており、スイッチ５０が操作された直後の画像Ｐ２をも撮影する。カメラ４０は、これらの２枚の画像Ｐ１，Ｐ２をサーバ１０に転送する。サーバ１０は、これらの２枚の画像Ｐ１，Ｐ２の差分画像Ｐ３を取得することによって、各人物の位置を特定する。より詳細には、これらの２枚の画像Ｐ１，Ｐ２の差分画像に基づいて、各人物の輪郭を抽出するとともに、その輪郭から各人物の位置を決定する。
【０１３８】
図１４はスイッチ５０の操作直前における画像Ｐ１を示す図であり、図１５は、スイッチ５０の操作前後の画像Ｐ１，Ｐ２の差分画像Ｐ３を示す図である。
【０１３９】
会議室内に設定されている静止物体（たとえば、壁、机など）については差分画像Ｐ３に現れず、会議室内の動作物体（たとえば、人物、時計の針など）のみが差分画像Ｐ３に現れるという性質に基づいて、動作物体の位置を特定する。また、人物であるか否かは、その差分画像における輪郭の大きさ等に基づいて判断すればよい。そして、サーバ１０は、この差分画像Ｐ３に基づいて、人物であると判定される物体の位置を特定する。
【０１４０】
その後、マイク４２によって集音される音に基づいて、発言者を特定する。具体的には、複数のマイク４２を会議室の複数の位置に配しておき、それらの音声情報から発言者の位置を特定する。
【０１４１】
そして、その発言者をズームアップするようにカメラ４０の構図を変更する。具体的には、カメラの姿勢角度（パン角度、チルト角度）を変更するとともに、ズーム倍率を変更する。これによれば、「音声が出る方向にカメラの方向を変更すること」、あるいは「発言者を追尾してその発言者の拡大画像を撮影すること」が可能になる。これによれば、たとえば、図１６に示すように、発言者を拡大した画像Ｐ４を取得することができる。
【０１４２】
このように、サーバ１０は、利用状態ＳＴ２での撮影画像Ｐ２と、利用状態ＳＴ１から利用状態ＳＴ２に移行する直前での撮影画像Ｐ１との差分画像Ｐ３を用いて、カメラ４０によって撮像される（会議室内の）各人物の位置を求めることができる。そして、各人物の位置に基づいて、各人物を拡大するようにカメラの構図を変更することができる。特に、集音される音声に基づいて発言者の位置を特定し、その位置の被写体を撮影するようにカメラ４０の構図を変更することによれば、カメラの構図を自動的に変更しつつ会議の様子を撮影した議事録画像を作成することができる。また、発言者を拡大して撮影するようにすれば、発言者の様子が判りやすい画像を得ることができる。
【０１４３】
＜Ｃ．その他＞
以上、この発明の実施の形態について説明したが、この発明は上記説明した内容のものに限定されるものではない。
【０１４４】
たとえば、上記実施形態においては、サーバ・クライアント型の監視カメラシステムについて例示したがこれに限定されない。具体的には、各カメラ４０同士が直接的に接続される監視カメラシステム（いわゆるピア・ツー・ピア型の監視カメラシステム）であってもよい。また、カメラの操作制御等については、サーバ１０を介さずに、ユーザ端末３０とカメラ４０との間で直接的に行うようにしてもよい。なお、この場合、サーバ１０における上述の各種の制御機能と同等の機能を有する各機能部を、ユーザ端末３０（あるいはカメラ４０）などに設けるようにすればよい。
【０１４５】
また、上記実施形態においては、会議室での会議の議事録画像作成を、監視用のカメラ４０を用いて行う場合について説明したが、これに限定されない。たとえば、結婚披露宴等を行う宴会場での撮影を行っても良い。具体的には、会議室ＭＲ１，ＭＲ２ではなく、図１７に示すように宴会場ＭＲ１１，ＭＲ１２において、それぞれ、上記と同様のユーザ端末３０、カメラ４０、およびスイッチ５０を設けて、同様の動作を行うようにすればよい。また、同様にして、各種の記録用画像をユーザの操作によって撮影することができる。特に、機密保持が要求される場所に設けられたカメラによってその場所での画像を撮影する際において、スイッチ５０を用いたロック解除指令入力が受け付けられることを条件として、ユーザによる撮影操作等を許可することによれば、ネットワーク経由での侵入者（ハッカー等）による撮影操作を防止できるので、セキュリティレベルを向上させることができる。
【０１４６】
さらに、上記実施形態においては、サーバ１０および管理者端末２０が、インターネット経由でユーザ端末３０およびカメラ４０と接続されている場合（図１参照）を例示しているが、これに限定されない。たとえば、図１７に示すように、サーバ１０、管理者端末２０、ユーザ端末３０、およびカメラ４０の全てを同一のＬＡＮ内で相互に接続するようにしてもよい。
【０１４７】
また、上記実施形態においては、スイッチ５０は電気配線でカメラ４０に接続されており、カメラ４０本体とは別体として構成される場合を例示したが、これに限定されない。たとえば、カメラ４０の本体にスイッチ５０を内蔵するようにしてもよい。
【０１４８】
なお、上述した具体的実施形態には、監視カメラシステムの発明だけでなく、監視カメラシステムを構成する各カメラ（監視カメラ）、サーバ（監視カメラサーバ）、監視カメラの制御方法、およびサーバ等で実行されるプログラム（さらに当該プログラムを記録した記録媒体）の各発明なども含まれている。
【図面の簡単な説明】
【０１４９】
【図１】監視カメラシステム１００の全体構成の概要を示す図である。
【図２】サーバ１０の物理的構成（ハードウエア構成）を中心に示す図である。
【図３】サーバ１０の機能ブロック図である。
【図４】ユーザ端末３０の機能ブロック図である。
【図５】カメラ４０の概略構成等を示す図である。
【図６】予約動作を示すフローチャートである。
【図７】予約時刻到来時における動作を示すフローチャートである。
【図８】予約時刻到来時における動作を示すフローチャートである。
【図９】ユーザログイン画面Ｇ１を示す図である。
【図１０】メインメニュー画面Ｇ２を示す図である。
【図１１】予約メニュー画面Ｇ３を示す図である。
【図１２】予約状況確認画面Ｇ４を示す図である。
【図１３】撮影時間変更用のメニュー画面Ｇ５を示す図である。
【図１４】スイッチ５０の操作直前における画像Ｐ１を示す図である。
【図１５】差分画像Ｐ３を示す図である。
【図１６】発言者を拡大した画像Ｐ４を示す図である。
【図１７】変形例に係る監視カメラシステムを示す図である。
【符号の説明】
【０１５０】
１００  監視カメラシステム
１０  サーバ
２０  管理者端末
３０  ユーザ端末
４０  カメラ
５０  スイッチ
Ｇ１〜Ｇ６  画面
ＭＲ１，ＭＲ２  会議室
【図１】
2005102081.tif 000003
【図２】
2005102081.tif 000004
【図３】
2005102081.tif 000005
【図４】
2005102081.tif 000006
【図５】
2005102081.tif 000007
【図６】
2005102081.tif 000008
【図７】
2005102081.tif 000009
【図８】
2005102081.tif 000010
【図９】
2005102081.tif 000011
【図１０】
2005102081.tif 000012
【図１１】
2005102081.tif 000013
【図１２】
2005102081.tif 000014
【図１３】
2005102081.tif 000015
【図１４】
2005102081.tif 000016
【図１５】
2005102081.tif 000017
【図１６】
2005102081.tif 000018
【図１７】
2005102081.tif 000019